(57)【要約】【課題】  １つのボタン軸で２種類のスイッチ機能を発揮できる構成簡単で操作容易な携帯型多機能電子時計のスイッチ機構を提供すること。【解決手段】  スイッチ機構は、時計モジュールに配置されている第１スイッチパターン部１ａと第１スイッチばね部２ａとから構成され第１スイッチと、第２スイッチパターン部１ｂと第２スイッチばね部２ｂとから構成された第２スイッチを、時計ケース本体に配置された１個のボタン軸３によって操作できるようにしたものである。ボタン軸３の先端部には、第１スイッチばね部２ａを操作する小径の操作端部３ａと第２スイッチばね部２ｂを操作する大径の操作端部３ｂが形成されている。ボタン軸３の浅押しで第１スイッチ部がオンし、ボタン軸３の深押しで第２スイッチ部がオンする。【選択図】  図１
2005214795.tif 000002
【特許請求の範囲】
【請求項１】
時計モジュールに配置された回路ブロックに形成されたスイッチパターンと、時計モジュールに片持ち梁状に配置されているスイッチばねと、ケース本体に軸方向に移動可能にして装着されて先端部で前記スイッチばねを操作するボタン軸とから構成されたスイッチ機構を備えた携帯型多機能電子時計において、
前記スイッチパターンは第１スイッチパターン部と第２スイッチパターン部とから成り、前記スイッチばねは前記第１スイッチパターン部と第２スイッチパターン部にそれぞれ対応した第１スイッチばね部と第２スイッチばね部とから成り、更に、前記ボタン軸は浅押しと深押しの２段操作が可能なものであって且つその先端部には前記第１スイッチばね部を操作する第１操作端部と前記第２スイッチばね部を操作する第２操作端部が形成されていることを特徴とする携帯型多機能電子時計。
【請求項２】
前記第１操作端部は前記ボタン軸の先端部に形成された操作軸であり、且つ前記第２操作端部は前記ボタン軸の先端部に形成された操作軸であって、前記第１操作端部の操作軸の外形は、前記第２操作端部の操作軸の外形よりも小径であることを特徴とする請求項１の携帯型多機能電子時計。
【請求項３】
前記第１操作端部は前記ボタン軸に形成された段付先端部の先端であり、且つ前記第２操作端部は前記段付先端部の段部であることを特徴とする請求項１の携帯型多機能電子時計。
【発明の詳細な説明】
【技術分野】
【０００１】
本発明は、携帯型多機能電子時計のスイッチ機構に関する。
【背景技術】
【０００２】
従来の携帯型多機能電子時計のスイッチ機構は、図８及び図９に示す如く、時計モジュールに取り付けられた回路保持枠５に配置された回路ブロック６のスイッチパターン１と、時計モジュールに片持ち梁状に配置されているスイッチばね２と、ケース本体１０に軸方向に移動可能にして配置されたボタン軸３とで構成されている。この従来のスイッチ機構において、利用者がボタン軸３のボタン３ｃを押すと、ボタン軸３の先端がスイッチばね２を変位させてスイッチパターン１に当接させる。これによって、電気的スイッチが入力されるものである。即ち、従来のスイッチ機構は、スイッチパターン１を固定接点、スイッチばね２を可動接点、更にボタン軸３を外部操作部材として構成されたものであり、従って１個のボタン軸で１種類のスイッチ機能しか発揮できないものである。
【０００３】
１個のボタン軸で１種類のスイッチ機能しか発揮できないスイッチ機構を採用した従来の携帯型多機能電子時計は、ボタン軸も複数個、中には５〜６個を必要とすることになる。このため、利用者にとっては、どのボタンを押せばどの機能が働くかが非常に分かり難くなっているという問題がある。また、携帯型多機能電子時計のデザイン面からも、ボタンの数が多いため、すっきりしたデザインができないという問題もある。
【０００４】
特表２００３−５０１６６８号公報（特許文献１）には、１個の外部操作部材で２つの機能を発揮させるスイッチ機構を備えた携帯型多機能電子時計が開示されている。このスイッチ機構は、回転移動し複数の軸方向設定位置に位置できるように装着された設定巻真を有する。この設定巻真は少なくとも１個の歯を有する。また、このスイッチ機構は、第１の端部、第２の端部及び中間部を備えたスイッチアームを含む。前記スイッチアームの中間部は前記設定巻真の歯と係合する。このスイッチ機構は、更に、第１接点と第２接点を有する。このような構成のスイッチ機構において、設定巻真が第１の方向に回転すると、第１の端部と第１の接点との断続的な電気的接続を形成して断続的な第１の電気パルスを発生する。逆に、設定巻真が第２の方向に回転すると、第２の端部と第２の接点との断続的な電気的接続を形成して断続的な第２の電気パルスを発生する。
【０００５】
１個の外部操作部材で２つの機能を発揮させるスイッチ機構であるから、特許文献１に開示のスイッチ機構を採用した携帯型多機能電子時計は、すっきりしたデザインである。しかしながら、利用者は設定巻真の軸移動と時計方向又は反時計方向への回転という２つの操作をしなければならないので、操作が面倒であるという問題がある。特に、時計方向又は反時計方向の選択は利用者を惑わすことになりかねないという問題もある。更に、この従来のスイッチ機構は操作部材である設定巻真の移動と回転という２つの操作を必要とするため、構成が複雑になるという問題もある。
【特許文献１】特表２００３−５０１６６８号公報
【発明の開示】
【発明が解決しようとする課題】
【０００６】
本発明が解決しようとする課題は、時計モジュールに配置された回路ブロックに形成されたスイッチパターンと、時計モジュールに配置されているスイッチばねと、ケース本体に軸方向に移動可能にして配置されて先端部で前記スイッチばねを操作するボタン軸とから構成されたスイッチ機構において、１つのボタン軸で２種類のスイッチ機能を発揮できる構成簡単で操作容易なスイッチ機構を備えた携帯型多機能電子時計を提供することである。
【課題を解決するための手段】
【０００７】
上述の課題を解決する携帯型多機能電子時計は、時計モジュールに配置された回路ブロックに形成された２つのスイッチパターン部を有するスイッチパターンと、時計モジュールに片持ち梁状に配置されている２つのスイッチばね部を有するスイッチばねと、ケース本体に軸方向に移動可能にして装着されて先端部で前記スイッチばねを操作する１個のボタン軸とから構成されたスイッチ機構であって、前記ボタン軸を浅押しと深押しの２段操作が可能なようにして時計ケース本体に装着したことを特徴とするスイッチ機構を備えたものである。
【０００８】
即ち、前記スイッチ機構において、前記スイッチパターンは第１スイッチパターン部と第２スイッチパターン部とから成り、前記スイッチばねは前記第１スイッチパターン部と第２スイッチパターン部にそれぞれ対応した第１スイッチばね部と第２スイッチばね部とから成り、前記ボタン軸の先端部には前記第１スイッチばね部を操作する第１操作端部と前記第２スイッチばね部を操作する第２操作端部とが形成され、更に、前記ボタン軸は浅押しと深押しの２段操作が可能なようにして時計ケース本体に装着されている。
【発明の効果】
【０００９】
本発明により、１個のボタン軸で２種類のスイッチ機能を発揮できるようにしたので、利用者にとって操作が非常に分かり易い携帯型多機能電子時計が提供された。また、ボタン軸の数が半減したので、携帯型多機能電子時計のデザインがすっきりしたものとなった。
【発明を実施するための最良の形態】
【００１０】
本発明に係る携帯型多機能電子時計は、時計モジュールに配置された回路ブロックに形成された第１スイッチパターン部と第２スイッチパターン部と、前記第１スイッチパターン部と第２スイッチパターン部にそれぞれ対応して時計モジュールに片持ち梁状に配置されている第１スイッチばね部と第２スイッチばね部と、ケース本体に軸方向に移動可能にして装着されて先端部で前記スイッチばねを操作する１個のボタン軸とから構成されたスイッチ機構であって、前記ボタン軸を浅押しと深押しの２段操作が可能なようにして時計ケース本体に装着したことを特徴とするスイッチ機構を備えたものである。
【実施例１】
【００１１】
本発明の実施例１の携帯型多機能電子時計は、図１の要部平面図、図２の断面図、及び図３の断面図に示す如く、１個のボタン軸３によって第１スイッチ部と第２スイッチ部を操作できるようにしたスイッチ機構を備えたものである。第１スイッチ部は第１スイッチパターン部１ａと第１スイッチばね部２ａとから構成されており、第２スイッチ部は第１スイッチパターン部１ｂと第１スイッチばね部２ｂとから構成されている。
【００１２】
第１スイッチパターン部１ａは回路保持枠５に保持された回路ブロック６の端面に形成され、第２スイッチパターン部１ｂは回路ブロック６の端部の表面に形成されている。第２スイッチパターン部１ｂが形成されている回路ブロック６の端部には凹部が形成されており、この凹部にはスイッチ導電ゴム４が第２スイッチパターン部１ｂに接触して配置されている。
【００１３】
スイッチばね２は、図２の断面図に示す如く、断面Ｌ字形の導電性の板ばね部材の垂直部である。前記断面Ｌ字形の導電性の板ばね部材の水平部分は回路保持枠５に固定され、図示しない時計モジュールの地板に電気的に接続されている。スイッチばね２には、その中央部に短冊形の片持ち梁状の第１スイッチばね部２ａが形成されている。また、スイッチばね２には、略Ｕ字形の片持ち梁状の第２スイッチばね部２ｂが、第１スイッチばね部２ａを囲むようにして形成されている。
【００１４】
ボタン軸３は、先端部に第１スイッチばね部２ａを操作する第１操作端部３ａと第２スイッチばね部２ｂを操作する第２操作端部３ｂが形成されたスイッチ操作部材である。第１操作端部３ａはボタン軸３の先端部に形成された小径の操作軸であり、第２操作端部３ｂはボタン軸３の先端部に形成された大径の操作軸である。このように形成されたボタン軸３は、スイッチばね部２ａと２ｂに対応するケース本体７の位置に形成されたボタン軸用貫通孔に軸方向移動が可能なようにして配置され、ケース本体７に装着されている。
【００１５】
上述の如く構成された実施例１のスイッチ機構において、利用者による押しボタン軸３の操作がなされない状態では、ボタン軸３はボタン軸戻しばね３ｄによって、その先端部がスイッチばね部２ａと２ｂから離れている。利用者が押しボタン３ｃを浅押しすると、図３に示す如く、ボタン軸３の小径操作軸である第１操作部３ａは第１スイッチばね２ａを導電ゴム４に押し当てる。これによって、第１スイッチはオンする。
【００１６】
続いて、利用者が押しボタン３ｃを深押しすると、図３に示す如く、ボタン軸３の小径操作軸である第１操作部３ａは第１スイッチばね２ａを導電ゴム４に押し当てて変形させ、同時に、ボタン軸３の大径操作軸である第２操作部３ｂは第２スイッチばね２ｂを第２スイッチパターン１ｂに押し当てる。これによって、第２スイッチはオンする。
【００１７】
利用者が押しボタン３ｃの押し込みを止めると、スイッチ軸３はスイッチ戻しばね３ｄによって初期状態に復帰し、第１操作部３ａは第１スイッチばね２ａから離れ、第２操作部３ｂは第２スイッチばね２ｂから離れる。これによって、第１スイッチも第２スイッチもオフになる。
【００１８】
本発明の実施例２の携帯型多機能電子時計は、図４の要部平面図、図５の断面図、及び図６の断面図に示す如く、１個のボタン軸３によって第１スイッチ部と第２スイッチ部を操作できるようにしたスイッチ機構を備えたものである。第１スイッチ部は第１スイッチパターン部１ａと第１スイッチばね部２ａとから構成されており、第２スイッチ部は第１スイッチパターン部１ｂと第１スイッチばね部２ｂとから構成されている。
【００１９】
第１スイッチパターン部１ａは回路保持枠５に保持された回路ブロック６の端面に形成され、第２スイッチパターン部１ｂは回路ブロック６の端部に第１スイッチパターン部１ａと平行に且つ所定の間隔を置いて形成されている。
【００２０】
スイッチばね２は、図５の断面図に示す如く、断面Ｌ字形の導電性の板ばね部材の垂直部である。前記断面Ｌ字形の導電性の板ばね部材の水平部分は回路保持枠５に固定され、図示しない時計モジュールの地板に電気的に接続されている。スイッチばね２には、２つの短冊形の片持ち梁状の第１スイッチばね部２ａと第２スイッチばね部２ｂが、平行に且つ所定の間隔をおいて形成されている。
【００２１】
ボタン軸３は、先端部には第１スイッチばね部２ａを操作する第１操作端部３ａと第２スイッチばね部２ｂを操作する第２操作端部３ｂが形成されたスイッチ操作部材である。第１操作端部３ａはボタン軸３の段付先端部の先端であり、第２操作端部３ｂは段付先端部の段部である。このように形成されたボタン軸３は、スイッチばね部２ａと２ｂに対応するケース本体７の位置に形成されたボタン軸用貫通孔に軸方向移動が可能なようにして配置され、ケース本体７に装着されている。
【００２２】
上述の如く構成された実施例２のスイッチ機構において、利用者による押しボタン軸３の操作がなされない状態では、ボタン軸３はボタン軸戻しばね３ｄによって、その先端部がスイッチばね部２ａと２ｂから離れている。利用者が押しボタン３ｃを浅押しすると、図６に示す如く、ボタン軸３の段付先端部の先端である第１操作部３ａは第１スイッチばね２ａを第１スイッチパターン１ａに押し当てる。これによって、第１スイッチはオンする。
【００２３】
続いて、利用者が押しボタン３ｃを深押しすると、図６に示す如く、ボタン軸３の段付先端部の先端である第１操作部３ａは第１スイッチばね２ａを撓ませ、同時に、ボタン軸３の段付先端部の段部である第２操作部３ｂは第２スイッチばね２ｂを第２スイッチパターン１ｂに押し当てる。これによって、第２スイッチはオンする。
【００２４】
利用者が押しボタン３ｃの押し込みを止めると、スイッチ軸３はスイッチ戻しばね３ｄによって初期状態に復帰し、第１操作部３ａは第１スイッチばね２ａから離れ、第２操作部３ｂは第２スイッチばね２ｂから離れる。これによって、第１スイッチも第２スイッチもオフになる。
【００２５】
本発明に係るスイッチ機能は、第１スイッチと第２スイッチのオン・オフによって２種類のスイッチ機能が発揮されるものであるが、そのためのスイッチ信号処理回路は電子時計モジュールの回路に組み込まれている。このスイッチ信号処理回路のフローチャートである図７を参照して、その動作を以下に説明する。即ち、実施例１又は実施例２において、利用者がボタン軸３を浅押しすることにより前記スイッチ信号処理回路は第１スイッチのオンを検出する（１０１）。その後にボタン軸３を利用者が元に戻すと、前記スイッチ信号処理回路は第２スイッチはオンされなかったと判断し（１０２）、第１スイッチ機能を働かせる第１処理を行う（１０３）。
【００２６】
利用者がボタン軸３を浅押しに続いて深押しを行うと、前記スイッチ信号処理回路は第１スイッチのオンを検出した（１０１）後に、第２スイッチのオンを検出し（１０２）、第２スイッチ機能を働かせる第２処理を行う（１０３）。このようにして、１個のボタン軸３の浅押しと深押しの２通りの操作で、異なる２種類のスイッチ機能を発揮させることができる。
【産業上の利用可能性】
【００２７】
本発明は簡単な構成であるから、様々な携帯型多機能電子時計に直ちに適用することが可能である。
【図面の簡単な説明】
【００２８】
【図１】本発明に係る携帯型多機能電子時計の実施例１のスイッチ機構の平面図である。
【図２】本発明に係る携帯型多機能電子時計の実施例１のスイッチ機構の縦に切断した断面図（Ａ）と横に切断した断面図（Ｂ）である。
【図３】本発明に係る携帯型多機能電子時計の実施例１のスイッチ機構の縦に切断した断面図であって、第１スイッチ部が入力された状態を示したものである。
【図４】本発明に係る携帯型多機能電子時計の実施例２のスイッチ機構の平面図である。
【図５】本発明に係る携帯型多機能電子時計の実施例２のスイッチ機構の縦に切断した断面図（Ａ）と横に切断した断面図（Ｂ）である。
【図６】本発明に係る携帯型多機能電子時計の実施例２のスイッチ機構の縦に切断した断面図であって、第１スイッチ部が入力された状態を示したものである。
【図７】本発明に係る携帯型多機能電子時計のスイッチ機構のスイッチ入力のフローチャートである。
【図８】携帯型多機能電子時計の従来のスイッチ機構の平面図である。
【図９】携帯型多機能電子時計の従来のスイッチ機構の縦に切断した断面図である。
【符号の説明】
【００２９】
１  スイッチパターン
１ａ  第１スイッチパターン部
１ｂ  第２スイッチパターン部
２  スイッチばね
２ａ  第１スイッチばね部
２ｂ  第２スイッチばね部
３  ボタン軸
３ａ  第１操作端部
３ｂ  第２操作端部
４  スイッチ導電ゴム
５  回路保持枠
６  回路ブロック
７  ケース本体
８  ケース裏蓋
【図１】
2005214795.tif 000003
【図２】
2005214795.tif 000004
【図３】
2005214795.tif 000005
【図４】
2005214795.tif 000006
【図５】
2005214795.tif 000007
【図６】
2005214795.tif 000008
【図７】
2005214795.tif 000009
【図８】
2005214795.tif 000010
【図９】
2005214795.tif 000011